(57)【特許請求の範囲】
【請求項１】
発光手段と、
前記発光手段からの光を画像データに基づいて変調することにより、画面に表示画像を表示する表示手段と、
前記画像データに対して画像処理を施す画像処理手段と、
前記画像データの輝度に関する輝度情報を取得する輝度情報取得手段と、
前記画像処理に関する処理情報を取得する処理情報取得手段と、
前記輝度情報と前記処理情報とに基づいて、前記発光手段の発光輝度を制御する制御手段と、
を有し、
前記画像処理手段は、第１パラメータを用いた前記画像処理と第２パラメータを用いた前記画像処理とを前記画像データに対して施すことが可能であり、
前記制御手段は、前記画像処理が前記第１パラメータを用いたものから前記第２パラメータを用いたものへ変更され且つ前記画像データの輝度が基準値よりも低い場合、前記表示画像のコントラストが前記変更の前後で変化するのを抑制するように、前記第１パラメータを用いた前記画像処理を施した画像データのコントラストから前記第２パラメータを用いた前記画像処理を施した画像データのコントラストへの低下量が大きいほど前記発光輝度を低くする
ことを特徴とする画像表示装置。
【請求項２】
発光手段と、
前記発光手段からの光を画像データに基づいて変調することにより、画面に表示画像を表示する表示手段と、
前記画像データに対して画像処理を施す画像処理手段と、
前記画像データの輝度に関する輝度情報を取得する輝度情報取得手段と、
前記画像処理に関する処理情報を取得する処理情報取得手段と、
前記輝度情報と前記処理情報とに基づいて、前記発光手段の発光輝度を制御する制御手段と、
を有し、
前記画像処理手段は、第１パラメータを用いた前記画像処理と第２パラメータを用いた前記画像処理とを前記画像データに対して施すことが可能であり、
前記制御手段は、前記画像処理が前記第１パラメータを用いたものから前記第２パラメータを用いたものへ変更され且つ前記画像データの輝度が基準値よりも高い場合、前記表示画像のコントラストが前記変更の前後で変化するのを抑制するように、前記第１パラメータを用いた前記画像処理を施した画像データのコントラストから前記第２パラメータを用いた前記画像処理を施した画像データのコントラストへの低下量が大きいほど前記発光輝度を高くする
ことを特徴とする画像表示装置。
【請求項３】
前記制御手段は、前記画像処理が前記第１パラメータを用いたものから前記第２パラメータを用いたものへ変更され且つ前記画像データの輝度が基準値よりも低い場合、前記表示画像のコントラストが前記変更の前後で変化するのを抑制するように、前記低下量が大きいほど前記発光輝度を低くする
ことを特徴とする請求項２に記載の画像表示装置。
【請求項４】
前記発光手段は、前記画面の複数の発光領域に対応する複数の光源部を有し、
前記輝度情報取得手段は、前記複数の発光領域のそれぞれにおける前記画像データの輝度に関する輝度情報を取得し、
前記制御手段は、前記複数の発光領域のそれぞれにおける前記輝度情報と、前記処理情報と、に基づいて、前記複数の光源部のそれぞれの発光輝度を制御する
ことを特徴とする請求項１〜３のいずれか１項に記載の画像表示装置。
【請求項５】
前記制御手段は、
前記画像処理が前記第１パラメータを用いたものから前記第２パラメータを用いたものへ変更され且つ前記複数の発光領域のそれぞれにおける前記画像データの輝度が基準値よりも低い場合、前記表示画像のコントラストが前記変更の前後で変化するのを抑制するように、前記低下量が大きいほど前記複数の光源部のそれぞれの発光輝度を低くする、または、
前記画像処理が前記第１パラメータを用いたものから前記第２パラメータを用いたものへ変更され且つ前記複数の発光領域のそれぞれにおける前記画像データの輝度が基準値よりも高い場合、前記表示画像のコントラストが前記変更の前後で変化するのを抑制するように、前記低下量が大きいほど前記複数の光源部のそれぞれの発光輝度を高くする
ことを特徴とする請求項４に記載の画像表示装置。
【請求項６】
前記制御手段は、ローカルディミング制御を行う
ことを特徴とする請求項１〜５のいずれか１項に記載の画像表示装置。
【請求項７】
前記コントラストは、空間的なコントラストである
ことを特徴とする請求項１〜６のいずれか１項に記載の画像表示装置。
【請求項８】
前記画像処理手段は、前記第１パラメータが基準パラメータの場合、前記画像データに対して前記画像処理を施さない
ことを特徴とする請求項１〜７のいずれか１項に記載の画像表示装置。
【請求項９】
前記処理情報は、ユーザ操作に応じて取得される
ことを特徴とする請求項１〜８のいずれか１項に記載の画像表示装置。
【請求項１０】
前記制御手段は、
前記輝度情報に応じて前記発光輝度の目標値を決定する決定手段と、
前記輝度情報または前記目標値と、前記処理情報と、に基づいて、前記表示画像のコントラストが前記変更の前後で変化するのを抑制するように、前記目標値を補正する補正手段と、
を有する
ことを特徴とする請求項１〜９のいずれか１項に記載の画像表示装置。
【請求項１１】
前記制御手段は、
前記処理情報に基づいて、前記変更の前後での前記コントラストの変化量に関する情報である変化情報を取得し、
前記輝度情報と前記変化情報とに基づいて前記発光輝度を制御する
ことを特徴とする請求項１〜１０のいずれか１項に記載の画像表示装置。
【請求項１２】
前記制御手段は、前記表示画像のコントラストが前記変更の前後で変化しないように、前記輝度情報と前記処理情報とに基づいて、前記発光手段の発光輝度を制御する
ことを特徴とする請求項１〜１１のいずれか１項に記載の画像表示装置。
【請求項１３】
前記処理情報は、前記画像処理に使用されたパラメータである
ことを特徴とする請求項１〜１２のいずれか１項に記載の画像表示装置。
【請求項１４】
前記画像処理は、画像の色を変更する処理である
ことを特徴とする請求項１〜１３のいずれか１項に記載の画像表示装置。
【請求項１５】
前記画像処理は、白色の色温度を目標の色温度に変更する処理である
ことを特徴とする請求項１〜１４のいずれか１項に記載の画像表示装置。
【請求項１６】
前記画像処理は、画像の色域を目標の色域に変更する処理である
ことを特徴とする請求項１〜１４のいずれか１項に記載の画像表示装置。
【請求項１７】
発光手段と、
前記発光手段からの光を画像データに基づいて変調することにより、画面に表示画像を表示する表示手段と、
を有する画像表示装置の制御方法であって、
前記画像データに対して画像処理を施す画像処理ステップと、
前記画像データの輝度に関する輝度情報を取得する輝度情報取得ステップと、
前記画像処理に関する処理情報を取得する処理情報取得ステップと、
前記輝度情報と前記処理情報とに基づいて、前記発光手段の発光輝度を制御する制御ステップと、
を有し、
前記画像処理ステップでは、第１パラメータを用いた前記画像処理と第２パラメータを用いた前記画像処理とを前記画像データに対して施すことが可能であり、
前記制御ステップでは、前記画像処理が前記第１パラメータを用いたものから前記第２パラメータを用いたものへ変更され且つ前記画像データの輝度が基準値よりも低い場合、前記表示画像のコントラストが前記変更の前後で変化するのを抑制するように、前記第１パラメータを用いた前記画像処理を施した画像データのコントラストから前記第２パラメータを用いた前記画像処理を施した画像データのコントラストへの低下量が大きいほど前記発光輝度を低くする
ことを特徴とする画像表示装置の制御方法。
【請求項１８】
発光手段と、
前記発光手段からの光を画像データに基づいて変調することにより、画面に表示画像を
表示する表示手段と、
を有する画像表示装置の制御方法であって、
前記画像データに対して画像処理を施す画像処理ステップと、
前記画像データの輝度に関する輝度情報を取得する輝度情報取得ステップと、
前記画像処理に関する処理情報を取得する処理情報取得ステップと、
前記輝度情報と前記処理情報とに基づいて、前記発光手段の発光輝度を制御する制御ステップと、
を有し、
前記画像処理ステップでは、第１パラメータを用いた前記画像処理と第２パラメータを用いた前記画像処理とを前記画像データに対して施すことが可能であり、
前記制御ステップでは、前記画像処理が前記第１パラメータを用いたものから前記第２パラメータを用いたものへ変更され且つ前記画像データの輝度が基準値よりも高い場合、前記表示画像のコントラストが前記変更の前後で変化するのを抑制するように、前記第１パラメータを用いた前記画像処理を施した画像データのコントラストから前記第２パラメータを用いた前記画像処理を施した画像データのコントラストへの低下量が大きいほど前記発光輝度を高くする
ことを特徴とする画像表示装置の制御方法。
【請求項１９】
画像データに基づく発光輝度で光源を発光して、画面に表示画像を表示する表示手段を有する画像表示装置の制御方法であって、
前記画像データに対して画像処理を施す画像処理ステップと、
前記画像データの輝度に関する輝度情報を取得する輝度情報取得ステップと、
前記画像処理に関する処理情報を取得する処理情報取得ステップと、
前記輝度情報と前記処理情報とに基づいて、前記光源の発光輝度を制御する制御ステップと、
を有し、
前記画像処理ステップでは、第１パラメータを用いた前記画像処理と第２パラメータを用いた前記画像処理とを前記画像データに対して施すことが可能であり、
前記制御ステップでは、前記画像処理が前記第１パラメータを用いたものから前記第２パラメータを用いたものへ変更され且つ前記画像データの輝度が基準値よりも低い場合、前記表示画像のコントラストが前記変更の前後で変化するのを抑制するように、前記第１パラメータを用いた前記画像処理を施した画像データのコントラストから前記第２パラメータを用いた前記画像処理を施した画像データのコントラストへの低下量が大きいほど前記発光輝度を低くする
ことを特徴とする画像表示装置の制御方法。
【請求項２０】
画像データに基づく発光輝度で光源を発光して、画面に表示画像を表示する表示手段を有する画像表示装置の制御方法であって、
前記画像データに対して画像処理を施す画像処理ステップと、
前記画像データの輝度に関する輝度情報を取得する輝度情報取得ステップと、
前記画像処理に関する処理情報を取得する処理情報取得ステップと、
前記輝度情報と前記処理情報とに基づいて、前記光源の発光輝度を制御する制御ステップと、
を有し、
前記画像処理ステップでは、第１パラメータを用いた前記画像処理と第２パラメータを用いた前記画像処理とを前記画像データに対して施すことが可能であり、
前記制御ステップでは、前記画像処理が前記第１パラメータを用いたものから前記第２パラメータを用いたものへ変更され且つ前記画像データの輝度が基準値よりも高い場合、前記表示画像のコントラストが前記変更の前後で変化するのを抑制するように、前記第１パラメータを用いた前記画像処理を施した画像データのコントラストから前記第２パラメ
ータを用いた前記画像処理を施した画像データのコントラストへの低下量が大きいほど前記発光輝度を高くする
ことを特徴とする画像表示装置の制御方法。
【請求項２１】
請求項１７〜２０のいずれか１項に記載の画像表示装置の制御方法の各ステップをコンピュータに実行させるためのプログラム。
【請求項２２】
画像データに基づく発光輝度で光源を発光して、画面に表示画像を表示する表示手段と、
前記画像データに対して画像処理を施す画像処理手段と、
前記画像データの輝度に関する輝度情報を取得する輝度情報取得手段と、
前記画像処理に関する処理情報を取得する処理情報取得手段と、
前記輝度情報と前記処理情報とに基づいて、前記光源の発光輝度を制御する制御手段と、
を有し、
前記画像処理手段は、第１パラメータを用いた前記画像処理と第２パラメータを用いた前記画像処理とを前記画像データに対して施すことが可能であり、
前記制御手段は、前記画像処理が前記第１パラメータを用いたものから前記第２パラメータを用いたものへ変更され且つ前記画像データの輝度が基準値よりも低い場合、前記表示画像のコントラストが前記変更の前後で変化するのを抑制するように、前記第１パラメータを用いた前記画像処理を施した画像データのコントラストから前記第２パラメータを用いた前記画像処理を施した画像データのコントラストへの低下量が大きいほど前記発光輝度を低くする
ことを特徴とする画像表示装置。
【請求項２３】
画像データに基づく発光輝度で光源を発光して、画面に表示画像を表示する表示手段と、
前記画像データに対して画像処理を施す画像処理手段と、
前記画像データの輝度に関する輝度情報を取得する輝度情報取得手段と、
前記画像処理に関する処理情報を取得する処理情報取得手段と、
前記輝度情報と前記処理情報とに基づいて、前記光源の発光輝度を制御する制御手段と、
を有し、
前記画像処理手段は、第１パラメータを用いた前記画像処理と第２パラメータを用いた前記画像処理とを前記画像データに対して施すことが可能であり、
前記制御手段は、前記画像処理が前記第１パラメータを用いたものから前記第２パラメータを用いたものへ変更され且つ前記画像データの輝度が基準値よりも高い場合、前記表示画像のコントラストが前記変更の前後で変化するのを抑制するように、前記第１パラメータを用いた前記画像処理を施した画像データのコントラストから前記第２パラメータを用いた前記画像処理を施した画像データのコントラストへの低下量が大きいほど前記発光輝度を高くする
ことを特徴とする画像表示装置。
【発明の詳細な説明】
【技術分野】
【０００１】
本発明は、画像表示装置及びその制御方法に関する。
【背景技術】
【０００２】
表示画像（画像表示装置の画面に表示された画像）の色を変更する方法として、画像データの色を変更する方法が一般的に用いられる。画像データの画素値がＲＧＢ値（Ｒ値、Ｇ値、及び、Ｂ値の組み合わせ）である場合には、Ｒ値、Ｇ値、及び、Ｂ値のバランス（比率）を変更することにより、画素の色を変更することができる。そして、画像データの色を変更することにより、画像データの輝度と表示画像の輝度が低下することが知られている。
【０００３】
液晶表示装置に関する従来技術として、特許文献１に開示の技術がある。特許文献１に開示の技術では、表示画像の色温度が変更された場合に、変更後の色温度に対応する補正値を用いてバックライトの発光輝度を調整することにより、色温度の変更に伴う表示画像の輝度の低下が抑制される。
【０００４】
しかしながら、画像データの色を変更すると、画像データの輝度が低下することにより、画像データのダイナミックレンジが低下する。そして、画像データのダイナミックレンジが低下することにより、表示画像のコントラストが低下する。特許文献１に開示の技術では、色温度が変更されない限り、同じ補正値を用いてバックライトの発光輝度が調整される。そのため、特許文献１に開示の技術では、色温度の変更に伴う表示画像の輝度の低下を抑制することはできても、色温度の変更に伴う表示画像のコントラストの低下を抑制することはできない。
【先行技術文献】
【特許文献】
【０００５】
【特許文献１】特開２００７−１２５３４号公報
【発明の概要】
【発明が解決しようとする課題】
【０００６】
本発明は、画像処理に伴う表示画像のコントラストの変化を抑制することができる技術を提供することを目的とする。
【課題を解決するための手段】
【０００７】
本発明の第１の態様は、
発光手段と、
前記発光手段からの光を画像データに基づいて変調することにより、画面に表示画像を表示する表示手段と、
前記画像データに対して画像処理を施す画像処理手段と、
前記画像データの輝度に関する輝度情報を取得する輝度情報取得手段と、
前記画像処理に関する処理情報を取得する処理情報取得手段と、
前記輝度情報と前記処理情報とに基づいて、前記発光手段の発光輝度を制御する制御手段と、
を有し、
前記画像処理手段は、第１パラメータを用いた前記画像処理と第２パラメータを用いた前記画像処理とを前記画像データに対して施すことが可能であり、
前記制御手段は、前記画像処理が前記第１パラメータを用いたものから前記第２パラメータを用いたものへ変更され且つ前記画像データの輝度が基準値よりも低い場合、前記表示画像のコントラストが前記変更の前後で変化するのを抑制するように、前記第１パラメータを用いた前記画像処理を施した画像データのコントラストから前記第２パラメータを用いた前記画像処理を施した画像データのコントラストへの低下量が大きいほど前記発光輝度を低くする
ことを特徴とする画像表示装置である。
本発明の第２の態様は、
発光手段と、
前記発光手段からの光を画像データに基づいて変調することにより、画面に表示画像を表示する表示手段と、
前記画像データに対して画像処理を施す画像処理手段と、
前記画像データの輝度に関する輝度情報を取得する輝度情報取得手段と、
前記画像処理に関する処理情報を取得する処理情報取得手段と、
前記輝度情報と前記処理情報とに基づいて、前記発光手段の発光輝度を制御する制御手段と、
を有し、
前記画像処理手段は、第１パラメータを用いた前記画像処理と第２パラメータを用いた前記画像処理とを前記画像データに対して施すことが可能であり、
前記制御手段は、前記画像処理が前記第１パラメータを用いたものから前記第２パラメータを用いたものへ変更され且つ前記画像データの輝度が基準値よりも高い場合、前記表示画像のコントラストが前記変更の前後で変化するのを抑制するように、前記第１パラメータを用いた前記画像処理を施した画像データのコントラストから前記第２パラメータを用いた前記画像処理を施した画像データのコントラストへの低下量が大きいほど前記発光輝度を高くする
ことを特徴とする画像表示装置である。
本発明の第３の態様は、
画像データに基づく発光輝度で光源を発光して、画面に表示画像を表示する表示手段と、
前記画像データに対して画像処理を施す画像処理手段と、
前記画像データの輝度に関する輝度情報を取得する輝度情報取得手段と、
前記画像処理に関する処理情報を取得する処理情報取得手段と、
前記輝度情報と前記処理情報とに基づいて、前記光源の発光輝度を制御する制御手段と、
を有し、
前記画像処理手段は、第１パラメータを用いた前記画像処理と第２パラメータを用いた前記画像処理とを前記画像データに対して施すことが可能であり、
前記制御手段は、前記画像処理が前記第１パラメータを用いたものから前記第２パラメータを用いたものへ変更され且つ前記画像データの輝度が基準値よりも低い場合、前記表示画像のコントラストが前記変更の前後で変化するのを抑制するように、前記第１パラメ
ータを用いた前記画像処理を施した画像データのコントラストから前記第２パラメータを用いた前記画像処理を施した画像データのコントラストへの低下量が大きいほど前記発光輝度を低くする
ことを特徴とする画像表示装置である。
本発明の第４の態様は、
画像データに基づく発光輝度で光源を発光して、画面に表示画像を表示する表示手段と、
前記画像データに対して画像処理を施す画像処理手段と、
前記画像データの輝度に関する輝度情報を取得する輝度情報取得手段と、
前記画像処理に関する処理情報を取得する処理情報取得手段と、
前記輝度情報と前記処理情報とに基づいて、前記光源の発光輝度を制御する制御手段と、
を有し、
前記画像処理手段は、第１パラメータを用いた前記画像処理と第２パラメータを用いた前記画像処理とを前記画像データに対して施すことが可能であり、
前記制御手段は、前記画像処理が前記第１パラメータを用いたものから前記第２パラメータを用いたものへ変更され且つ前記画像データの輝度が基準値よりも高い場合、前記表示画像のコントラストが前記変更の前後で変化するのを抑制するように、前記第１パラメータを用いた前記画像処理を施した画像データのコントラストから前記第２パラメータを用いた前記画像処理を施した画像データのコントラストへの低下量が大きいほど前記発光輝度を高くする
ことを特徴とする画像表示装置である。
【０００８】
本発明の第５の態様は、
発光手段と、
前記発光手段からの光を画像データに基づいて変調することにより、画面に表示画像を表示する表示手段と、
を有する画像表示装置の制御方法であって、
前記画像データに対して画像処理を施す画像処理ステップと、
前記画像データの輝度に関する輝度情報を取得する輝度情報取得ステップと、
前記画像処理に関する処理情報を取得する処理情報取得ステップと、
前記輝度情報と前記処理情報とに基づいて、前記発光手段の発光輝度を制御する制御ステップと、
を有し、
前記画像処理ステップでは、第１パラメータを用いた前記画像処理と第２パラメータを用いた前記画像処理とを前記画像データに対して施すことが可能であり、
前記制御ステップでは、前記画像処理が前記第１パラメータを用いたものから前記第２パラメータを用いたものへ変更され且つ前記画像データの輝度が基準値よりも低い場合、前記表示画像のコントラストが前記変更の前後で変化するのを抑制するように、前記第１パラメータを用いた前記画像処理を施した画像データのコントラストから前記第２パラメータを用いた前記画像処理を施した画像データのコントラストへの低下量が大きいほど前記発光輝度を低くする
ことを特徴とする画像表示装置の制御方法である。
本発明の第６の態様は、
発光手段と、
前記発光手段からの光を画像データに基づいて変調することにより、画面に表示画像を表示する表示手段と、
を有する画像表示装置の制御方法であって、
前記画像データに対して画像処理を施す画像処理ステップと、
前記画像データの輝度に関する輝度情報を取得する輝度情報取得ステップと、
前記画像処理に関する処理情報を取得する処理情報取得ステップと、
前記輝度情報と前記処理情報とに基づいて、前記発光手段の発光輝度を制御する制御ステップと、
を有し、
前記画像処理ステップでは、第１パラメータを用いた前記画像処理と第２パラメータを用いた前記画像処理とを前記画像データに対して施すことが可能であり、
前記制御ステップでは、前記画像処理が前記第１パラメータを用いたものから前記第２パラメータを用いたものへ変更され且つ前記画像データの輝度が基準値よりも高い場合、前記表示画像のコントラストが前記変更の前後で変化するのを抑制するように、前記第１パラメータを用いた前記画像処理を施した画像データのコントラストから前記第２パラメータを用いた前記画像処理を施した画像データのコントラストへの低下量が大きいほど前記発光輝度を高くする
ことを特徴とする画像表示装置の制御方法である。
本発明の第７の態様は、
画像データに基づく発光輝度で光源を発光して、画面に表示画像を表示する表示手段を有する画像表示装置の制御方法であって、
前記画像データに対して画像処理を施す画像処理ステップと、
前記画像データの輝度に関する輝度情報を取得する輝度情報取得ステップと、
前記画像処理に関する処理情報を取得する処理情報取得ステップと、
前記輝度情報と前記処理情報とに基づいて、前記光源の発光輝度を制御する制御ステップと、
を有し、
前記画像処理ステップでは、第１パラメータを用いた前記画像処理と第２パラメータを用いた前記画像処理とを前記画像データに対して施すことが可能であり、
前記制御ステップでは、前記画像処理が前記第１パラメータを用いたものから前記第２パラメータを用いたものへ変更され且つ前記画像データの輝度が基準値よりも低い場合、前記表示画像のコントラストが前記変更の前後で変化するのを抑制するように、前記第１パラメータを用いた前記画像処理を施した画像データのコントラストから前記第２パラメータを用いた前記画像処理を施した画像データのコントラストへの低下量が大きいほど前記発光輝度を低くする
ことを特徴とする画像表示装置の制御方法である。
本発明の第８の態様は、
画像データに基づく発光輝度で光源を発光して、画面に表示画像を表示する表示手段を有する画像表示装置の制御方法であって、
前記画像データに対して画像処理を施す画像処理ステップと、
前記画像データの輝度に関する輝度情報を取得する輝度情報取得ステップと、
前記画像処理に関する処理情報を取得する処理情報取得ステップと、
前記輝度情報と前記処理情報とに基づいて、前記光源の発光輝度を制御する制御ステップと、
を有し、
前記画像処理ステップでは、第１パラメータを用いた前記画像処理と第２パラメータを用いた前記画像処理とを前記画像データに対して施すことが可能であり、
前記制御ステップでは、前記画像処理が前記第１パラメータを用いたものから前記第２パラメータを用いたものへ変更され且つ前記画像データの輝度が基準値よりも高い場合、前記表示画像のコントラストが前記変更の前後で変化するのを抑制するように、前記第１
パラメータを用いた前記画像処理を施した画像データのコントラストから前記第２パラメータを用いた前記画像処理を施した画像データのコントラストへの低下量が大きいほど前記発光輝度を高くする
ことを特徴とする画像表示装置の制御方法である。
【０００９】
本発明の第９の態様は、上述した画像表示装置の制御方法の各ステップをコンピュータに実行させるためのプログラムである。
【発明の効果】
【００１０】
本発明によれば、画像処理に伴う表示画像のコントラストの変化を抑制することができる。
【図面の簡単な説明】
【００１１】
【図１】実施例に係る画像表示装置の構成の一例を示すブロック図
【図２】実施例に係る複数の発光領域の一例を示す図
【図３】比較例に係る処理の概要の一例を示す図
【図４】実施例に係る処理の概要の一例を示す図
【図５】比較例に係る処理の概要の一例を示す図
【図６】実施例に係る処理の概要の一例を示す図
【発明を実施するための形態】
【００１２】
＜実施例１＞
以下、本発明の実施例１に係る画像表示装置及びその制御方法について説明する。
なお、本実施例では、画像表示装置が透過型の液晶表示装置である場合の例を説明する。透過型の液晶表示装置は、バックライトと、バックライトからの光を画像データに基づいて透過することにより画面に画像を表示する液晶パネルと、を有する。しかしながら、画像表示装置は、透過型の液晶表示装置に限らない。画像表示装置は、発光部と、発光部からの光を画像データに基づいて変調することにより画面に画像を表示する表示部と、を有する画像表示装置であればよい。例えば、画像表示装置は、反射型の液晶表示装置であってもよい。また、画像表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイであってもよい。
【００１３】
（処理の概要１）
本実施例に係る画像表示装置の処理の概要とその比較例の一例について説明する。ここでは、画像の色を変更する画像処理である色変更処理を行う例を説明する。具体的には、白色の色温度を目標温度（目標の色温度）に変更する色温度変更処理を行う例を説明する
。また、ここでは、グローバルディミング制御やローカルディミング制御を行わない場合の例を説明する。グローバルディミング制御とローカルディミング制御は、入力画像データの輝度に応じた目標値にＢＬ輝度（バックライトの発光輝度）を制御するバックライト制御である。グローバルディミング制御では、画面全体に渡ってＢＬ輝度が同じ値に制御される。ローカルディミング制御では、画面の複数の発光領域のそれぞれについて、ＢＬ輝度が個別に制御される。
【００１４】
画像データの色を変更することにより、画像データの輝度とダイナミックレンジが変化する。そして、画像データの輝度とダイナミックレンジが変化することにより、表示画像の輝度とコントラストが変化する。表示画像は、画面に表示された画像である。画像データのダイナミックレンジは、画像データの画素値の取り得る値の範囲である。表示画像のコントラストは、表示輝度（画面上の輝度；表示画像の輝度）の取り得る値の最大値と最小値の比である。具体的には、コントラストは、白色の表示輝度と黒色の表示輝度の比である。コントラストには、時間的なコントラストと空間的なコントラストとがある。時間的なコントラストは、黒色の画像の表示輝度と白色の画像の表示輝度との比であり、空間的なコントラストは、１つの画像内の黒色の領域における表示輝度と白色の領域における表示輝度との比である。ここで、画像データの画素値がＲＧＢ値（Ｒ値、Ｇ値、及び、Ｂ値の組み合わせ）である場合を考える。この場合、Ｒ値＝Ｇ値＝Ｂ値＝上限値の画素については、Ｒ値、Ｇ値、及び、Ｂ値の少なくともいずれかを上限値よりも小さい値に変更することにより、画素の色が変更される。このような階調値の低下により、画像データの輝度とダイナミックレンジが低下する。その結果、表示画像の輝度とコントラストが低下する。
【００１５】
（（比較例に係る処理の概要１））
以下では、比較例として、白色の表示輝度が維持されるようにＢＬ輝度を変更する例を説明する。図３（ａ），３（ｂ）は、比較例に係る各種値の一例を示す図である。図３（ａ）は、目標温度、画像データの色（画像色）、画素値、ＢＬ輝度、及び、表示輝度を示す。図３（ｂ）は、目標温度と、表示画像のコントラストと、を示す。
【００１６】
まず、Ｄ６５光源から発せられた光の色温度Ｔｅｍｐ＿Ｄ６５が目標温度として設定された場合を考える。この場合、図３（ａ）に示すように、白色の画素値として（Ｒ値，Ｇ値，Ｂ値）＝（１００％，１００％，１００％）が使用され、黒色の画素値として（０％，０％，０％）が使用される。そして、比較例では、どのような画像データを表示する場合にも、ＢＬ輝度が１００％に制御される。その結果、白色の表示輝度として１００％が得られ、黒色の表示輝度として０．１％が得られる。黒色の表示輝度が０％でないのは、バックライトからの光を液晶パネルが完全に遮断できず、バックライトからの光が画面から漏れるためである。そのため、図３（ｂ）に示すように、表示画像のコントラストとして、１０００（＝白色の表示輝度１００％／黒色の表示輝度０．１％）が得られる。
【００１７】
次に、目標温度が色温度Ｔｅｍｐ＿Ｄ６５から色温度Ｔｅｍｐ＿Ｄ５０に変更された場合を考える。色温度Ｔｅｍｐ＿Ｄ５０は、Ｄ５０光源から発せられた光の色温度である。この場合、図３（ａ）に示すように、白色の画素値として（１００％，９０％，６６％）が使用され、黒色の画素値として（０％，０％，０％）が使用される。このように、目標温度の変更に伴い、白色に対応するＧ値とＢ値が１００％よりも小さい値に低下する。そのため、ＢＬ輝度が常に同じ値（１００％）に制御されると、目標温度の変更に伴い、白色の表示輝度が低下し、表示画像のコントラストが低下する。そこで、比較例では、どのような画像データを表示する場合にも、白色の表示輝度の低下を抑制する値にＢＬ輝度を制御する。具体的には、ＢＬ輝度が１００％から１１０％に高められる。その結果、白色の表示輝度を１００％に維持することができる。しかしながら、ＢＬ輝度が１００％から１１０％に高められたことに起因して、黒色の表示輝度が０．１％から０．１１％に増加
する。そのため、図３（ｂ）に示すように、目標温度の変更に伴い、表示画像のコントラストが１０００から９００に低下する。具体的には、時間的なコントラストと空間的なコントラストの両方が、１０００から９００に低下する。
【００１８】
（（本実施例に係る処理の概要１））
次に、本実施例に係る処理の概要について説明する。図４（ａ），４（ｂ）は、本発明の実施例１、実施例２、及び、変形例に係る各種値の一例を示す図である。以下では、図４（ａ），４（ｂ）に示されている値のうち、実施例１に係る値について説明する。図４（ａ）は、目標温度、画像色、画素値、ＢＬ輝度、及び、表示輝度を示す。図４（ｂ）は、目標温度と、表示画像のコントラストと、を示す。目標温度が色温度Ｔｅｍｐ＿Ｄ６５である場合の値は比較例（図３（ａ），３（ｂ））と同じである。そのため、目標温度が色温度Ｔｅｍｐ＿Ｄ６５である場合についての説明は省略する。
【００１９】
目標温度が色温度Ｔｅｍｐ＿Ｄ６５から色温度Ｔｅｍｐ＿Ｄ５０に変更された場合を考える。本実施例では、色温度変更処理によるコントラストの低下が抑制されるように、表示対象の画像データの輝度に依存した値にＢＬ輝度を制御する。具体的には、白色の画像データを表示する場合にはＢＬ輝度が変更されず、黒色の画像データを表示する場合にはＢＬ輝度が低減される。図４（ａ）の例では、白色の画像データを表示する場合にはＢＬ輝度が１００％に維持され、黒色の画像データを表示する場合にはＢＬ輝度が１００％から９０％に低減される。それにより、白色の表示輝度として９０％が得られ、黒色の表示輝度として０．０９％が得られる。その結果、図４（ｂ）に示すように、表示画像のコントラストとして、１０００（＝白色の表示輝度９０％／黒色の表示輝度０．０９％）が得られ、色温度変更処理に伴うコントラストの低下を抑制することができる。具体的には、時間的なコントラストの低下を抑制することができる。
【００２０】
なお、図４（ａ），４（ｂ）には、目標温度に依らず同じコントラストを得ることができる例を示したが、これに限らない。例えば、目標温度が色温度Ｔｅｍｐ＿Ｄ５０であり、且つ、画像色が黒色である場合に、９０％よりも高い値にＢＬ輝度が制御されてもよいし、９０％よりも低い値にＢＬ輝度が制御されてもよい。ＢＬ輝度が常に同じ値に制御される場合に比べコントラストの変化量が小さければ、ＢＬ輝度はどのような値に制御されてもよい。基準のコントラストから表示画像のコントラストが低下しても増加してもよい。基準のコントラストは、例えば、目標温度が色温度Ｔｅｍｐ＿Ｄ６５であり、且つ、ＢＬ輝度が１００％である場合のコントラストである。
【００２１】
（処理の概要２）
本実施例に係る画像表示装置の処理の概要とその比較例の他の例について説明する。ここでは、入力画像データの輝度が高いほど高い値にＢＬ輝度を制御するグローバルディミング制御を行う場合の例を説明する。
【００２２】
（（比較例に係る処理の概要２））
以下では、比較例として、白色の表示輝度が維持されるようにＢＬ輝度を変更する例を説明する。図５（ａ），５（ｂ）は、比較例に係る各種値の一例を示す図である。図５（ａ）は、目標温度、画像色、画素値、ＢＬ輝度、及び、表示輝度を示す。図５（ｂ）は、目標温度と、表示画像のコントラストと、を示す。
【００２３】
まず、Ｄ６５光源から発せられた光の色温度Ｔｅｍｐ＿Ｄ６５が目標温度として設定された場合を考える。比較例では、図５（ａ）に示すように、白色の画像データを表示する場合にＢＬ輝度が１００％に制御され、黒色の画像データを表示する場合にＢＬ輝度が５０％に制御される（グローバルディミング制御）。その結果、白色の表示輝度として１００％が得られ、黒色の表示輝度として０．０５％が得られる。そのため、図５（ｂ）に示
すように、表示画像のコントラストとして、２０００（＝白色の表示輝度１００％／黒色の表示輝度０．０５％）が得られる。
【００２４】
次に、目標温度が色温度Ｔｅｍｐ＿Ｄ６５から色温度Ｔｅｍｐ＿Ｄ５０に変更された場合を考える。比較例では、どのような画像データを表示する場合にも、同じ増加率でＢＬ輝度が高められる。具体的には、白色の表示輝度の低下を抑制する増加率でＢＬ輝度が高められる。図５（ａ）の例では、増加率として１．１が使用される。そのため、白色の画像データを表示する場合にＢＬ輝度が１１０％に制御され、黒色の画像データを表示する場合にＢＬ輝度が５５％に制御される。その結果、白色の表示輝度を１００％に維持することができる。しかしながら、ＢＬ輝度が５０％から５５％に高められたことに起因して、黒色の表示輝度が０．０５％から０．０５５％に増加する。そのため、図５（ｂ）に示すように、目標温度の変更に伴い、表示画像のコントラストが２０００から１８１８に低下する。具体的には、時間的なコントラストと空間的なコントラストの両方が、２０００から１８１８に低下する。このような課題（コントラストの低下）は、ローカルディミング制御を行った場合においても生じる。
【００２５】
（（本実施例に係る処理の概要２））
次に、本実施例に係る処理の概要について説明する。図６（ａ），６（ｂ）は、本発明の実施例１、実施例２、及び、変形例に係る各種値の一例を示す図である。以下では、図６（ａ），６（ｂ）に示されている値のうち、実施例１に係る値について説明する。図６（ａ）は、目標温度、画像色、画素値、ＢＬ輝度、及び、表示輝度を示す。図６（ｂ）は、目標温度と、表示画像のコントラストと、を示す。目標温度が色温度Ｔｅｍｐ＿Ｄ６５である場合の値は比較例（図５（ａ），５（ｂ））と同じである。そのため、目標温度が色温度Ｔｅｍｐ＿Ｄ６５である場合についての説明は省略する。
【００２６】
目標温度が色温度Ｔｅｍｐ＿Ｄ６５から色温度Ｔｅｍｐ＿Ｄ５０に変更された場合を考える。上述したように、本実施例では、白色の画像データを表示する場合にはＢＬ輝度が変更されず、黒色の画像データを表示する場合にはＢＬ輝度が低減される。図６（ａ）の例では、白色の画像データを表示する場合にはＢＬ輝度が１００％に維持され、黒色の画像データを表示する場合にはＢＬ輝度が５０％から４５％に低減される。それにより、白色の表示輝度として９０％が得られ、黒色の表示輝度として０．０４５％が得られる。その結果、図６（ｂ）に示すように、表示画像のコントラストとして、２０００（＝白色の表示輝度９０％／黒色の表示輝度０．０４５％）が得られ、色温度変更処理に伴うコントラストの低下を抑制することができる。具体的には、時間的なコントラストの低下を抑制することができる。このような効果（時間的なコントラストの維持）は、ローカルディミング制御を行った場合においても得られる。また、ローカルディミング制御を行えば、１つの画像内の黒色の領域における表示輝度として０．０４５％を得ることができ、白色の領域における表示輝度として９０％を得ることができる。そのため、ローカルディミング制御を行えば、空間的なコントラストの低下をも抑制することができる。
【００２７】
（構成）
図１は、本実施例に係る画像表示装置の構成の一例を示すブロック図である。図１に示すように、本実施例に係る画像表示装置は、液晶パネル１０１、バックライト１０２、画像処理部１０３、輝度情報取得部１０４、処理情報取得部１０５、及び、制御部１０６を有する。
【００２８】
バックライト１０２は、光を発する発光部である。バックライト１０２は、液晶パネル１０１の背面側に設けられており、液晶パネル１０１の背面に光を照射する。本実施例では、バックライト１０２は、ローカルディミング制御を実行可能な構成を有する。具体的には、バックライト１０２は、複数の発光領域にそれぞれ対応する複数の光源部を有する
。複数の光源部のＢＬ輝度は、個別に制御することができる。各光源部は、１つ以上の発光素子を有する。発光素子としては、ＬＥＤ（発光ダイオード）、有機ＥＬ素子、冷陰極管、等を用いることができる。各光源部は、制御部１０６から出力されたＢＬ制御値Ｔに応じたＢＬ輝度で発光する。
【００２９】
図２は、複数の発光領域の一例を示す図である。図２の例では、４行×５列の計２０個の発光領域によって画面の領域が構成されている。本実施例では、ｍ行ｎ列目の発光領域に対応するＢＬ制御値Ｔを「Ｔｍｎ」と記載する。ｍ行ｎ列目の発光領域に対応する光源部は、ＢＬ制御値Ｔｍｎに応じたＢＬ輝度で発光する。
【００３０】
なお、発光領域及び光源部の数は２０個より多くても少なくてもよい。行方向と列方向の一方における発光領域の数は１つであってもよい。
また、複数の発光領域はマトリクス状に配置された複数の領域でなくてもよい。例えば、複数の発光領域は、千鳥格子状に配置された複数の領域であってもよい。
また、複数の発光領域は、画面の領域を構成する複数の領域でなくてもよい。例えば、発光領域の少なくとも一部が、他の発光領域の少なくとも一部に重なっていてもよい。発光領域が他の発光領域から離れていてもよい。
また、発光領域の形状は、四角形でなくてもよい。例えば、発光領域の形状は、三角形、五角形、六角形、円形、等であってもよい。
【００３１】
液晶パネル１０１は、バックライト１０２からの光を、液晶パネル１０１に入力された画像データに基づいて変調することにより、画面に画像を表示する表示部である。具体的には、液晶パネル１０１は、複数の液晶素子を有する。各液晶素子の透過率は、液晶パネル１０１に入力された画像データに応じた値に制御される。そして、液晶パネル１０１に入力された画像データに応じた透過率で、バックライト１０２からの光が各液晶素子を透過することにより、画面に画像が表示される。例えば、液晶パネル１０１は、画素毎に、Ｒ素子、Ｇ素子、及び、Ｂ素子の３種類の液晶素子を有する。Ｒ素子は赤色に対応する液晶素子であり、Ｇ素子は緑色に対応する液晶素子であり、Ｂ素子は青色に対応する液晶素子である。例えば、Ｒ素子の透過率は画像データのＲ値に応じた値に制御され、Ｇ素子の透過率は画像データのＧ値に応じた値に制御され、Ｂ素子の透過率は画像データのＢ値に応じた値に制御される。
【００３２】
処理情報取得部１０５は、画像処理部１０３で行われる画像処理に関する情報である処理情報を取得する（第３取得処理）。そして、処理情報取得部１０５は、取得した処理情報を、画像処理部１０３と制御部１０６に出力する。本実施例では、処理情報として、画像処理に使用されるパラメータが取得される。処理情報は、例えば、画像表示装置に対するユーザ操作、画像表示装置の使用環境、等に応じて取得される。
【００３３】
画像処理部１０３は、画像データのダイナミックレンジの低下をもたらす画像処理を実行可能な機能部である。本実施例では、画像処理部１０３は、処理情報取得部１０５から出力された処理情報に応じた画像処理を実行することにより、画像データ（取得画像データ）を取得する（第１取得処理）。具体的には、処理情報取得部１０５から出力されたパラメータを用いた画像処理を実行することにより、取得画像データが取得される。本実施例では、画像処理として色温度変更処理が行われる。そして、画像処理部１０３は、取得画像データを、輝度情報取得部１０４と液晶パネル１０１に出力する。そのため、本実施例では、液晶パネル１０１の透過率は、取得画像データに基づいて制御される。
【００３４】
予め定められた基準のパラメータが取得された場合には、基準のパラメータを用いた色温度変更処理を入力画像データに施すことにより、入力画像データと同じ画像データが、取得画像データとして生成される。すなわち、基準のパラメータが取得された場合には、
画像データのダイナミックレンジの低下をもたらす色温度変更処理は行われず、画像データを変更しない色温度変更処理が行われる。基準のパラメータと異なるパラメータが取得された場合には、取得されたパラメータを用いた色温度変更処理を入力画像データに施すことにより、入力画像データよりもダイナミックレンジが狭い処理画像データが、取得画像データとして生成される。
【００３５】
なお、基準のパラメータが取得された場合には、色温度変更処理が省略され、入力画像データが取得画像データとして出力されてもよい。
なお、画像処理部１０３は、画像表示装置とは別体の装置（外部装置）に設けられていてもよい。外部装置に画像処理部１０３が設けられており、且つ、基準のパラメータを用いた色温度変更処理が行われる場合には、処理情報は取得されなくてもよい。
【００３６】
輝度情報取得部１０４は、画像処理部１０３から出力された取得画像データの輝度に関する情報である輝度情報を、取得画像データから取得する（第２取得処理）。そして、輝度情報取得部１０４は、取得した輝度情報を制御部１０６に出力する。
【００３７】
本実施例では、輝度情報取得部１０４は、取得画像データの各画素値を輝度値に変換する。取得画像データの画素値がＲＧＢ値である場合、下記の式１を用いて、ＲＧＢ値を輝度値Ｙに変換することができる。式２において、「Ｒ」はＲ値、「Ｇ」はＧ値、「Ｂ」はＢ値である。また、「α」、「β」、及び、「γ」は、ＲＧＢ値を輝度値に変換する変換係数であり、予め定められた値である。
Ｙ＝α×Ｒ＋β×Ｇ＋γ×Ｂ  ・・・（式１）
【００３８】
そして、本実施例では、輝度情報取得部１０４は、複数の発光領域のそれぞれについて、その発光領域における取得画像データの輝度値Ｙの平均値ＹＡＧを、輝度情報として算出する。本実施例では、ｍ行ｎ列目の発光領域に対応する平均輝度値ＹＡＧを「ＹＡＧｍｎ」と記載する。このように、本実施例では、複数の発光領域のそれぞれについて、その発光領域に取得画像データの輝度に関する輝度情報が取得される。
【００３９】
なお、取得画像データの画素値はＲＧＢ値に限らない。例えば、取得画像データの画素値はＹＣｂＣｒ値であってもよい。その場合には、ＹＣｂＣｒ値からＹ値を取得すればよい。
なお、輝度情報の取得方法は上記方法に限らない。例えば、平均輝度値ＹＡＧとは異なる輝度情報が取得されてもよい。例えば、取得画像データの輝度値の最大値、最小値、最頻値、中間値、ヒストグラム、等が輝度情報として取得されてもよい。取得画像データの画素値の平均値、最大値、最小値、最頻値、中間値、ヒストグラム、等が輝度情報として取得されてもよい。画像全体の輝度に関する輝度情報が取得されてもよい。
【００４０】
制御部１０６は、輝度情報取得部１０４から出力された輝度情報と、処理情報取得部１０５から出力された処理情報と、に基づいて、ＢＬ輝度を制御する。本実施例では、複数の発光領域のそれぞれについて、その発光領域に対応する輝度情報と、処理情報と、に基づいて、当該発光領域に対応する光源のＢＬ輝度が制御される。本実施例では、輝度情報と処理情報を使用することにより、取得画像データが処理画像データである場合に、色温度変更処理によるコントラストの低下が抑制されるように、ＢＬ輝度を制御することができる。処理画像データは、上述したように、色温度変更処理によってダイナミックレンジが低下した画像データである。
【００４１】
図１に示すように、制御部１０６は、ＢＬ制御値決定部１０７、変化情報取得部１０８
、及び、ＢＬ制御値補正部１０９を有する。
【００４２】
変化情報取得部１０８は、処理情報に基づいて、色温度変更処理によるコントラストの変化量（低下量）に関する情報である変化情報を取得する。そして、変化情報取得部１０８は、取得した変化情報をＢＬ制御値補正部１０９に出力する。本実施例では、以下の式４を用いて変化情報Ｙ＿ｏが算出される。
【数１】
0006566663.tif 000002
【００４３】
式２において、行列ＭＴＸの各要素（ＹＲ＿ｍｔｘ、ＹＧ＿ｍｔｘ、及び、ＹＢ＿ｍｔｘ）は、以下の式３〜５を用いて算出することができる。
ＹＲ＿ｍｔｘ＝ｙｒ×Ｒ＿ｃｏｅ÷ＹＭ  ・・・（式３）
ＹＧ＿ｍｔｘ＝ｙｇ×Ｇ＿ｃｏｅ÷ＹＭ  ・・・（式４）
ＹＢ＿ｍｔｘ＝ｙｂ×Ｂ＿ｃｏｅ÷ＹＭ  ・・・（式５）
【００４４】
式４〜５において、Ｒ＿ｃｏｅ、Ｇ＿ｃｏｅ、Ｂ＿ｃｏｅ、及び、ＹＭは、以下の式６〜７を用いて算出することができる。
【数２】
0006566663.tif 000003
【００４５】
ｒｇａｉｎは色温度変更処理においてＲ値に乗算する係数（処理情報；パラメータ）であり、ｇｇａｉｎは色温度変更処理においてＧ値に乗算する係数であり、ｂｇａｉｎは色温度変更処理においてＢ値に乗算する係数である。
ｘｒ、ｘｇ、ｘｂ、及び、ｘｗは、ＸＹＺ表色系のｘ値の基準値であり、ｙｒ、ｙｇ、ｙｂ、及び、ｙｗは、ＸＹＺ表色系のｙ値の基準値である。ｘ値ｘｒとｙ値ｙｒは、赤画像データ（Ｒ値≠０且つＧ値＝Ｂ値＝０）を表示した場合の表示色（画面上の色；表示画像の色）に対応する値である。ｘ値ｘｇとｙ値ｙｇは、緑画像データ（Ｇ値≠０且つＲ値＝Ｂ値＝０）を表示した場合の表示色に対応する値である。ｘ値ｘｂとｙ値ｙｂは、青画像データ（Ｂ値≠０且つＲ値＝Ｇ値＝０）を表示した場合の表示色に対応する値である。ｘ値ｘｗとｙ値ｙｗは、白画像データ（Ｒ値＝Ｇ値＝Ｂ値≠０）を表示した場合の表示色に対応する値である。
【００４６】
上述した式４によれば、ＸＹＺ表色系のｘ値とｙ値の基準値、及び、色温度変更処理後のＲＧＢ値のバランスから、コントラストの低下量に関する変化情報Ｙ＿ｏを得ることができる。本実施例では、変化情報Ｙ＿ｏとして、コントラストの低下量が大きいほど小さく、且つ、コントラストの低下量が小さいほど大きい値が得られる。そして、色温度変更処理によるコントラストの低下が生じていない場合に、変化情報Ｙ＿ｏ＝１が得られる。そのため、本実施例では、変化情報Ｙ＿ｏとして、０より大きく且つ１以下の値が得られ
る。
【００４７】
なお、画像表示装置内において、行列ＭＴＸを算出する処理が行われてもよいし、行われなくてもよい。行列ＭＴＸは装置固有の値であるため、行列ＭＴＸは予め用意できる。
【００４８】
そして、本実施例では、輝度情報（平均輝度値ＹＡＧ）と変化情報Ｙ＿ｏに基づいて、ＢＬ輝度が制御される。本実施例では、平均輝度値ＹＡＧに応じて目標輝度（ＢＬ輝度の目標値）が決定され、目標輝度と変化情報Ｙ＿ｏに基づいて目標輝度が補正される。このような２段階の処理により、最終的な目標輝度が決定される。
【００４９】
なお、最終的な目標輝度の決定方法は特に限定されない。例えば、平均輝度値ＹＡＧと変化情報Ｙ＿ｏに基づいて目標輝度を補正することにより、最終的な目標輝度が決定されてもよい。また、平均輝度値ＹＡＧに応じて目標輝度を決定せずに、平均輝度値ＹＡＧと変化情報Ｙ＿ｏに基づく１段階の処理によって最終的な目標輝度が決定されてもよい。
【００５０】
ＢＬ制御値決定部１０７は、輝度情報（平均輝度値ＹＡＧ）に応じて目標輝度を決定する。具体的には、複数の発光領域のそれぞれについて、その発光領域に対応する平均輝度値ＹＡＧに応じて、当該発光領域に対応する光源の目標輝度が決定される。本実施例では、平均輝度値ＹＡＧに応じて、目標輝度の代わりに、目標輝度に対応するＢＬ制御値ｂｄが算出される。ＢＬ制御値ｂｄは、光源のＢＬ輝度を目標輝度に制御するＢＬ制御値である。そして、ＢＬ制御値決定部１０７は、決定した目標輝度（ＢＬ制御値ｂｄ）を、ＢＬ制御値補正部１０９に出力する。本実施例では、ｍ行ｎ列目の発光領域に対応するＢＬ制御値ｂｄを「ｂｄｍｎ」と記載する。ＢＬ制御値ｂｄｍｎは、例えば、以下の式９を用いて算出することができる。
ｂｄｍｎ＝ＹＡＧｍｎ÷Ｙｍａｘ  ・・・（式９）
【００５１】
式９において、「Ｙｍａｘ」は、輝度値や平均輝度値の取り得る値の最大値（最大輝度値）である。輝度値の取り得る値が０〜２５５の整数である場合には、最大輝度値Ｙｍａｘは２５５である。式９によれば、平均輝度値ＹＡＧが大きいほど大きい値が、ＢＬ制御値ｂｄとして算出される。また、式９によれば、０〜１の値がＢＬ制御値ｂｄとして算出される。
【００５２】
なお、ＢＬ制御値ｂｄの決定方法は特に限定されない。例えば、平均輝度値ＹＡＧと同じ値が、ＢＬ制御値ｂｄとして決定されてもよい。また、平均輝度値ＹＡＧと同じ値が、目標輝度として決定されてもよい。平均輝度値ＹＡＧよりも大きい値が、目標輝度として決定されてもよいし、平均輝度値ＹＡＧよりも小さい値が、目標輝度として決定されてもよい。
【００５３】
ＢＬ制御値補正部１０９は、ＢＬ制御値ｂｄと変化情報Ｙ＿ｏに基づいて、色温度変更処理によるコントラストの低下が抑制されるように、ＢＬ制御値ｂｄを補正する。それにより、補正後の目標輝度に対応するＢＬ制御値Ｔが得られる。本実施例では、ＢＬ制御値ｂｄｍｎと変化情報Ｙ＿ｏに基づいてＢＬ制御値ｂｄｍｎを補正することにより、ＢＬ制御値Ｔｍｎが得られる。そして、ＢＬ制御値補正部１０９は、ＢＬ制御値Ｔをバックライト１０２に出力する。それにより、ＢＬ輝度が、ＢＬ制御値Ｔに応じた値（補正後の目標輝度）に制御される。
【００５４】
本実施例では、変化情報Ｙ＿ｏが１よりも小さく、且つ、ＢＬ制御値ｂｄが基準値Ｒよりも小さい場合に、ＢＬ制御値ｂｄよりも小さい値が、ＢＬ制御値Ｔとして算出される。
また、このような場合においては、変化情報Ｙ＿ｏが小さいほど小さい値が、ＢＬ制御値Ｔとして算出される。本実施例では、ｍ行ｎ列目の発光領域に対応する基準値Ｒを「Ｒｍｎ」と記載する。
【００５５】
そして、本実施例では、上記の場合以外の場合に、ＢＬ制御値ｂｄは補正されず、ＢＬ制御値ｂｄと同じ値が、ＢＬ制御値Ｔとして得られる。例えば、変化情報Ｙ＿ｏが１よりも小さく、且つ、ＢＬ制御値ｂｄが基準値Ｒ以上である場合には、ＢＬ制御値ｂｄが、ＢＬ制御値Ｔとして得られる。変化情報Ｙ＿ｏが１である場合にも、ＢＬ制御値ｂｄが、ＢＬ制御値Ｔとして得られる。
【００５６】
具体的には、本実施例では、ＢＬ制御値ｂｄｍｎが基準値Ｒｍｎよりも小さい場合には、以下の式１０を用いてＢＬ制御値Ｔｍｎが算出される。そして、ＢＬ制御値ｂｄｍｎが基準値Ｒｍｎ以上である場合には、以下の式１１を用いてＢＬ制御値Ｔｍｎが算出される。
Ｔｍｎ＝Ｙ＿ｏ×ｂｄｍｎ  ・・・（式１０）
Ｔｍｎ＝ｂｄｍｎ  ・・・（式１１）
【００５７】
上記処理によれば、取得画像データが処理画像データであり、且つ、取得画像データの輝度が基準値よりも低い場合に、色変更処理によるコントラストの低下量が大きいほど低い値にＢＬ輝度が制御される。そして、それ以外の場合に、ＢＬ制御値ｂｄに応じた値にＢＬ輝度が制御される。その結果、図４（ａ），４（ｂ），６（ａ），６（ｂ）を用いて説明した原理により、色温度変更処理による時間的なコントラストの低下を抑制することができる。また、本実施例では、各発光領域のＢＬ輝度が個別に制御されるため、色温度変更処理による空間的なコントラストの低下をも抑制することができる。本実施例では、ローカルディミング制御（取得画像データの輝度に応じて各光源のＢＬ制御値ｂｄを個別に決定する処理）が行われるため、時間的及び空間的なコントラストがより高い表示画像を得ることができる。
【００５８】
なお、基準値Ｒはどのような値であってもよい。複数の発光領域（光源）にそれぞれ対応する複数の基準値Ｒが使用されてもよいし、複数の発光領域（光源）の間で共通の１つの基準値Ｒが使用されてもよい。基準値Ｒとしては、非ＬＤ値ＢＬ＿ＮＬＤ、基準白値ＢＬ＿Ｗ、基準黒値ＢＬ＿Ｂ、等を用いることができる。非ＬＤ値ＢＬ＿ＮＬＤは、ローカルディミング制御もグローバルディミング制御も行わない場合に使用されるＢＬ制御値ｂｄである。基準白値ＢＬ＿Ｗは、白色の画像に対応するＢＬ制御値ｂｄである。平均輝度値ＹＡＧの取り得る値が０〜２５５であり、且つ、画像の輝度が高いほど大きい値が平均輝度値ＹＡＧとして得られる場合、基準白値ＢＬ＿Ｗは、平均輝度値ＹＡＧ＝２５５に対応するＢＬ制御値ｂｄである。基準黒値ＢＬ＿Ｂは、黒色の画像に対応するＢＬ制御値ｂｄである。平均輝度値ＹＡＧの取り得る値が０〜２５５であり、且つ、画像の輝度が高いほど大きい値が平均輝度値ＹＡＧとして得られる場合、基準黒値ＢＬ＿Ｂは、平均輝度値ＹＡＧ＝０に対応するＢＬ制御値ｂｄである。また、取得画像データに基づいて基準値Ｒが決定されて使用されてもよい。例えば、平均輝度値ＹＡＧが小さいほど小さい値が基準値Ｒとして使用されてもよい。
【００５９】
以上述べたように、本実施例によれば、ＢＬ輝度を制御する際に、輝度情報と処理情報が使用される。それにより、色温度変更処理に伴う表示画像のコントラストの変化を抑制することができる。具体的には、色温度変更処理に伴う表示画像のコントラストの低下を抑制することができる。
【００６０】
なお、ローカルディミング制御は行われなくてもよい。グローバルディミング制御（取得画像データの輝度に応じて全ての光源に対して同じＢＬ制御値ｂｄを決定する処理）が行われてもよい。グローバルディミング制御を行うことにより、時間的なコントラストがより高い表示画像を得ることができる。ローカルディミング制御とグローバルディミング制御のどちらも行わずにＢＬ輝度が制御されてもよい。ローカルディミング制御とグローバルディミング制御を行わなくても、輝度情報と処理情報を用いてＢＬ輝度を制御することにより、色温度変更処理によるダイナミックレンジの変化に起因したコントラストの変化を抑制することができる。
【００６１】
なお、処理情報としてパラメータ以外の情報が取得されてもよい。例えば、処理情報として、色温度変更処理の種類を示す情報が取得されてもよい。その場合には、画像処理部１０３は、複数のパラメータの中から色温度変更処理の種類に応じたパラメータを選択し、選択したパラメータを用いた色温度変更処理を実行してもよい。画像処理部１０３は、複数のアルゴリズムの中から色温度変更処理の種類に応じたアルゴリズムを選択し、選択したアルゴリズムに応じた色温度変更処理を実行してもよい。そして、変化情報取得部１０８は、複数の変化情報の中から色温度変更処理の種類に応じた変化情報を選択し、選択した変化情報を出力してもよい。これらの処理は、色温度変更処理の種類、パラメータ（またはアルゴリズム）、及び、変更情報の対応関係を表す情報（テーブル）を予め用意することにより、実現することができる。
【００６２】
なお、画像処理は温度変更処理に限らない。例えば、温度変更処理以外の色変更処理が実行されてもよいし、色変更処理以外の画像処理が実行されてもよい。画像の色域を目標の色域に変更する色域変更処理、画像をぼかすぼかし処理、エッジを強調するエッジ強調処理、等が実行されてもよい。複数の画像処理が行われてもよい。本実施例によれば、どのような画像処理が行われた場合においても、画像処理によるダイナミックレンジの変化に起因したコントラストの変化を抑制することができる。
【００６３】
なお、上述したように、外部装置に画像処理部１０３が設けられており、且つ、基準のパラメータを用いた色温度変更処理が行われる場合には、処理情報は取得されなくてもよい。そのような構成の場合には、処理情報が取得されなかったことに応じて、変化情報Ｙ＿ｏ＝１が取得されてもよい。また、処理情報が取得されなかったことに応じて、ＢＬ制御値ｂｄの補正が省略されてもよい。
【００６４】
なお、ＢＬ輝度の制御方法は上記方法に限らない。図４（ａ），４（ｂ），６（ａ），６（ｂ）を用いて説明した原理により、コントラストの低下が抑制されればよい。そのような処理は、輝度情報と処理情報を使用することで実現可能となる。また、以下の変形例に示すようにＢＬ輝度が制御されてもよい。
【００６５】
（変形例に係る処理の概要１）
以下に、本発明の変形例に係る処理の概要について説明する。ここでは、グローバルディミング制御やローカルディミング制御を行わない場合の例を説明する。以下では、図４（ａ），４（ｂ）に示されている値のうち、変形例に係る値について説明する。目標温度が色温度Ｔｅｍｐ＿Ｄ６５である場合の値は比較例（図３（ａ），３（ｂ））と同じである。そのため、目標温度が色温度Ｔｅｍｐ＿Ｄ６５である場合についての説明は省略する。
【００６６】
目標温度が色温度Ｔｅｍｐ＿Ｄ６５から色温度Ｔｅｍｐ＿Ｄ５０に変更された場合を考える。変形例では、黒色の画像データを表示する場合にはＢＬ輝度が変更されず、白色の画像データを表示する場合にはＢＬ輝度が高められる。図４（ａ）の例では、白色の画像データを表示する場合にはＢＬ輝度が１００％から１１０％に高められ、黒色の画像デー
タを表示する場合にはＢＬ輝度が１００％に維持される。それにより、白色の表示輝度として１００％が得られ、黒色の表示輝度として０．１％が得られる。その結果、図４（ｂ）に示すように、表示画像のコントラストとして、１０００（＝白色の表示輝度１００％／黒色の表示輝度０．１％）が得られ、色温度変更処理に伴うコントラストの低下を抑制することができる。具体的には、時間的なコントラストの低下を抑制することができる。
【００６７】
（変形例に係る処理の概要２）
以下に、本発明の変形例に係る処理の概要の他の例について説明する。ここでは、グローバルディミング制御を行う場合の例を説明する。以下では、図６（ａ），６（ｂ）に示されている値のうち、変形例に係る値について説明する。目標温度が色温度Ｔｅｍｐ＿Ｄ６５である場合の値は比較例（図５（ａ），５（ｂ））と同じである。そのため、目標温度が色温度Ｔｅｍｐ＿Ｄ６５である場合についての説明は省略する。
【００６８】
目標温度が色温度Ｔｅｍｐ＿Ｄ６５から色温度Ｔｅｍｐ＿Ｄ５０に変更された場合を考える。上述したように、変形例では、黒色の画像データを表示する場合にはＢＬ輝度が変更されず、白色の画像データを表示する場合にはＢＬ輝度が高められる。図６（ａ）の例では、白色の画像データを表示する場合にはＢＬ輝度が１００％から１１０％に高められ、黒色の画像データを表示する場合にはＢＬ輝度が５０％に維持される。それにより、白色の表示輝度として１００％が得られ、黒色の表示輝度として０．０５％が得られる。その結果、図６（ｂ）に示すように、表示画像のコントラストとして、２０００（＝白色の表示輝度１００％／黒色の表示輝度０．０５％）が得られ、色温度変更処理に伴うコントラストの低下を抑制することができる。具体的には、時間的なコントラストの低下を抑制することができる。
【００６９】
なお、このような効果（時間的なコントラストの維持）は、ローカルディミング制御を行った場合においても得られる。また、ローカルディミング制御を行えば、１つの画像内の黒色の領域における表示輝度として０．０５％を得ることができ、白色の領域における表示輝度として１００％を得ることができる。そのため、ローカルディミング制御を行えば、空間的なコントラストの低下をも抑制することができる。
【００７０】
なお、取得画像データが処理画像データであり、且つ、取得画像データの輝度が基準値以上である場合に、画像処理によるコントラストの低下量が大きいほど高い値にＢＬ輝度が制御されてもよい。そして、それ以外の場合に、ＢＬ制御値ｂｄに応じた値にＢＬ輝度が制御されてもよい。例えば、以下の式１２，１３を用いてＢＬ制御値Ｔｍｎが算出されてもよい。具体的には、ＢＬ制御値ｂｄｍｎが基準値Ｒｍｎ以上である場合には、以下の式１２を用いてＢＬ制御値Ｔｍｎが算出され、ＢＬ制御値ｂｄが基準値Ｒｍｎよりも小さい場合には、以下の式１３を用いてＢＬ制御値Ｔｍｎが算出されてもよい。このような構成によれば、上述した比較例の原理により、色温度変更処理による時間的なコントラストの低下を抑制することができる。
Ｔｍｎ＝（１÷Ｙ＿ｏ）×ｂｄｍｎ  ・・・（式１２）
Ｔｍｎ＝ｂｄｍｎ  ・・・（式１３）
【００７１】
なお、本実施例では、画像処理によって画像データのダイナミックレンジが低下し、ダイナミックレンジの低下によってコントラストが低下する例を説明したが、これに限らない。画像処理によって画像データのダイナミックレンジが増加し、ダイナミックレンジの低下によってコントラストが増加することもある。輝度情報と処理情報を用いてＢＬ輝度を制御すれば、画像処理によるコントラストの増加をも抑制することができる。例えば、取得画像データが処理画像データであり、且つ、取得画像データの輝度が基準値以上であ
る場合に、画像処理によるコントラストの増加量が大きいほど低い値にＢＬ輝度を制御すればよい。取得画像データが処理画像データであり、且つ、取得画像データの輝度が基準値よりも低い場合に、画像処理によるコントラストの増加量が大きいほど高い値にＢＬ輝度を制御してもよい。それにより、画像処理によるコントラストの増加をも抑制することができる。
【００７２】
＜実施例２＞
以下、本発明の実施例２に係る画像表示装置及びその制御方法について説明する。本実施例では、ＢＬ輝度の制御方法が実施例１と異なる。なお、以下では、実施例１と異なる処理について詳しく説明し、実施例１と同じ処理については説明を省略する。
【００７３】
（実施例２に係る処理の概要１）
以下に、実施例２に係る処理の概要について説明する。ここでは、グローバルディミング制御やローカルディミング制御を行わない場合の例を説明する。以下では、図４（ａ），４（ｂ）に示されている値のうち、実施例２に係る値について説明する。目標温度が色温度Ｔｅｍｐ＿Ｄ６５である場合の値は比較例（図３（ａ），３（ｂ））と同じである。そのため、目標温度が色温度Ｔｅｍｐ＿Ｄ６５である場合についての説明は省略する。
【００７４】
目標温度が色温度Ｔｅｍｐ＿Ｄ６５から色温度Ｔｅｍｐ＿Ｄ５０に変更された場合を考える。実施例２では、白色の画像データを表示する場合にはＢＬ輝度が高められ、黒色の画像データを表示する場合にはＢＬ輝度が低減される。図４（ａ）の例では、白色の画像データを表示する場合にはＢＬ輝度が１００％から１０５％に高められ、黒色の画像データを表示する場合にはＢＬ輝度が１００％から９５％に低減される。それにより、白色の表示輝度として９５％が得られ、黒色の表示輝度として０．０９５％が得られる。その結果、図４（ｂ）に示すように、表示画像のコントラストとして、１０００（＝白色の表示輝度９５％／黒色の表示輝度０．０９５％）が得られ、色温度変更処理に伴うコントラストの低下を抑制することができる。具体的には、時間的なコントラストの低下を抑制することができる。
【００７５】
（変形例に係る処理の概要２）
以下に、実施例２に係る処理の概要の他の例について説明する。ここでは、グローバルディミング制御を行う場合の例を説明する。以下では、図６（ａ），６（ｂ）に示されている値のうち、実施例２に係る値について説明する。目標温度が色温度Ｔｅｍｐ＿Ｄ６５である場合の値は比較例（図５（ａ），５（ｂ））と同じである。そのため、目標温度が色温度Ｔｅｍｐ＿Ｄ６５である場合についての説明は省略する。
【００７６】
目標温度が色温度Ｔｅｍｐ＿Ｄ６５から色温度Ｔｅｍｐ＿Ｄ５０に変更された場合を考える。上述したように、実施例２では、白色の画像データを表示する場合にはＢＬ輝度が高められ、黒色の画像データを表示する場合にはＢＬ輝度が低減される。図６（ａ）の例では、白色の画像データを表示する場合にはＢＬ輝度が１００％から１０５％に高められ、黒色の画像データを表示する場合にはＢＬ輝度が５０％から４７．５％に低減される。それにより、白色の表示輝度として９５％が得られ、黒色の表示輝度として０．０４７５％が得られる。その結果、図６（ｂ）に示すように、表示画像のコントラストとして、２０００（＝白色の表示輝度９５％／黒色の表示輝度０．０４７５％）が得られ、色温度変更処理に伴うコントラストの低下を抑制することができる。具体的には、時間的なコントラストの低下を抑制することができる。
【００７７】
なお、このような効果（時間的なコントラストの維持）は、ローカルディミング制御を行った場合においても得られる。また、ローカルディミング制御を行えば、１つの画像内の黒色の領域における表示輝度として０．０４７５％を得ることができ、白色の領域にお
ける表示輝度として９５％を得ることができる。そのため、ローカルディミング制御を行えば、空間的なコントラストの低下をも抑制することができる。
【００７８】
本実施例に係る画像表示装置の構成は、実施例１（図１）と同じである。但し、ＢＬ制御値補正部１０９の処理が実施例１と異なる。以下では、本実施例のＢＬ制御値補正部１０９について詳しく説明し、他の機能部については、実施例１と同じであるため、説明を省略する。
【００７９】
本実施例では、本実施例では、変化情報Ｙ＿ｏが１よりも小さく、且つ、ＢＬ制御値ｂｄが基準値Ｒよりも小さい場合に、ＢＬ制御値ｂｄよりも小さい値が、ＢＬ制御値Ｔとして算出される。そして、このような場合においては、変化情報Ｙ＿ｏが小さいほど小さい値が、ＢＬ制御値Ｔとして算出される。
【００８０】
また、本実施例では、本実施例では、変化情報Ｙ＿ｏが１よりも小さく、且つ、ＢＬ制御値ｂｄが基準値Ｒ以上である場合に、ＢＬ制御値ｂｄよりも大きい値が、ＢＬ制御値Ｔとして算出される。そして、このような場合においては、変化情報Ｙ＿ｏが小さいほど大きい値が、ＢＬ制御値Ｔとして算出される。
【００８１】
そして、本実施例では、上記の場合以外の場合に、ＢＬ制御値ｂｄは補正されず、ＢＬ制御値ｂｄと同じ値が、ＢＬ制御値Ｔとして得られる。
【００８２】
具体的には、本実施例では、ＢＬ制御値ｂｄｍｎが基準値Ｒｍｎよりも小さい場合には、以下の式１４を用いてＢＬ制御値Ｔｍｎが算出される。そして、ＢＬ制御値ｂｄｍｎが基準値Ｒｍｎ以上である場合には、以下の式１５を用いてＢＬ制御値Ｔｍｎが算出される。
Ｔｍｎ＝Ｙ＿ｏ×ｂｄｍｎ  ・・・（式１４）
Ｔｍｎ＝（１÷Ｙ＿ｏ）ｂｄｍｎ  ・・・（式１５）
【００８３】
上記処理によれば、取得画像データが処理画像データであり、且つ、取得画像データの輝度が基準値よりも低い場合に、色変更処理によるコントラストの低下量が大きいほど低い値にＢＬ輝度が制御される。取得画像データが処理画像データであり、且つ、取得画像データの輝度が基準値以上である場合に、色変更処理によるコントラストの低下量が大きいほど高い値にＢＬ輝度が制御される。そして、それら以外の場合に、ＢＬ制御値ｂｄに応じた値にＢＬ輝度が制御される。その結果、図４（ａ），４（ｂ），６（ａ），６（ｂ）を用いて説明した実施例２の原理により、色温度変更処理による時間的なコントラストの低下を抑制することができる。また、本実施例では、各発光領域のＢＬ輝度が個別に制御されるため、色温度変更処理による空間的なコントラストの低下をも抑制することができる。さらに、本実施例では、ローカルディミング制御が行われるため、時間的及び空間的なコントラストがより高い表示画像を得ることができる。
【００８４】
以上述べたように、本実施例によれば、取得画像データが処理画像データであり、且つ、取得画像データの輝度が基準値よりも低い場合に、色変更処理によるコントラストの低下量が大きいほど低い値にＢＬ輝度が制御される。そして、取得画像データが処理画像データであり、且つ、取得画像データの輝度が基準値以上である場合に、色変更処理によるコントラストの低下量が大きいほど高い値にＢＬ輝度が制御される。それにより、色温度変更処理に伴う表示画像のコントラストの低下を抑制することができる。
【００８５】
ＢＬ輝度には上限値が存在するため、式１５によって算出されたＢＬ制御値Ｔに対応す
る目標輝度が上限値を超えることがある。例えば、コントラストの低下量が非常に大きい場合、式１５によって算出されたＢＬ制御値Ｔに対応する目標輝度が上限値を超える。そのような場合には、ＢＬ輝度は上限値に制限されるため、コントラストが低下する。そのため、そのような場合には、実施例１の方法でＢＬ制御値Ｔが決定されるように、ＢＬ制御値ｂｄの補正方法を切り替えることが好ましい。具体的には、ＢＬ制御値ｂｄが基準値Ｒよりも小さい場合にＢＬ制御値ｂｄよりも小さいＢＬ制御値Ｔを決定し、且つ、それ以外の場合にＢＬ制御値ｂｄと同じＢＬ制御値Ｔを決定する方法に、ＢＬ制御値ｂｄの補正方法を切り替えることが好ましい。実施例１の方法に切り替えることにより、表示輝度が低下するものの、コントラストの低下をより確実に抑制することができる。
【００８６】
＜実施例３＞
以下、本発明の実施例３に係る画像表示装置及びその制御方法について説明する。本実施例では、画像処理として色域変更処理が行われる例を説明する。なお、以下では、実施例１，２と異なる処理について詳しく説明し、実施例１，２と同じ処理については説明を省略する。
【００８７】
本実施例に係る画像表示装置の構成は、実施例１，２（図１）と同じである。但し、変化情報取得部１０８の処理が実施例１，２と異なる。以下では、本実施例の変化情報取得部１０８について詳しく説明し、他の機能部については、実施例１，２と同じであるため、説明を省略する。
【００８８】
色域変更処理が行われる場合、白色の色度だけでなく、赤色、緑色、青色、等の色度も変化する。本実施例の変化情報取得部１０８では、このような様々な色の目標値の変化を考慮して、変化情報が取得される。例えば、実施例１で述べた基準値ｘｒ，ｘｇ，ｘｂ，ｘｗ，ｙｒ，ｙｇ，ｙｂ，ｙｗの代わりにそれらの目標値を用いることにより、実施例１と同様の方法で、様々な色の目標値の変化を考慮した変化情報Ｙ＿ｏを得ることができる。基準値ｘｒ，ｘｇ，ｘｂ，ｘｗ，ｙｒ，ｙｇ，ｙｂ，ｙｗの目標値は、例えば、処理情報に含まれている。係数ｒｇａｉｎ，ｇｇａｉｎ，ｂｇａｉｎとしては、例えば、白色の画素値に乗算する係数が使用される。
【００８９】
以上述べたように、本実施例によれば、色域変更処理によるコントラストの変化量をよく表す変化情報が取得され、実施例１，２と同様の方法でＢＬ輝度が制御される。それにより、色域変更処理によるコントラストの変化を抑制することができる。
【００９０】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９１】
１０１：液晶パネル  １０２：バックライト  １０３：画像処理部
１０４：輝度情報取得部  １０５：処理情報取得部  １０６：制御部
１０７：ＢＬ制御値決定部  １０８：変化情報取得部  １０９：ＢＬ制御値補正部
【図１】
0006566663.tif 000004
【図２】
0006566663.tif 000005
【図３】
0006566663.tif 000006
【図４】
0006566663.tif 000007
【図５】
0006566663.tif 000008
【図６】
0006566663.tif 000009